【事件の表示】
　特願２００３−　４１７０１「ノンプリアンブルフレーム同期」拒絶査定不服審判事件〔平成１５年　８月２７日出願公開、特開２００３−２４０８３５〕について、次のとおり審決する。
【結　論】
　本件審判の請求は、成り立たない。
【理　由】
１．手続の経緯・本願発明
　本願は、平成１５年２月１９日（パリ条約による優先権主張２００２年２月１９日、アメリカ合衆国）の出願であって、平成１９年９月２６日付けで明細書または図面について補正がなされ（以下、「補正１」という。）、平成１９年１１月９日付け（送達日：同年１１月１３日）で拒絶査定がされ、これに対し平成２０年２月１２日付けで拒絶査定不服審判の請求がなされたものである。　
　そして本願の請求項１ないし１１に係る発明は、補正１によって補正された明細書及び図面の記載からみて、その特許請求の範囲の請求項１ないし１１に記載された事項により特定されるとおりのものと認められるところ、その請求項６に係る発明は次のとおりである。（以下、「本願発明」という。）
　
「　サーバシステムとクライアントシステムとを具備し、前記クライアントシステムがＧＰＳ衛星群からナビゲーションデータを受信して、各ＧＰＳ衛星と自クライアントシステム間の擬似距離を算出して現在位置を測位するネットワークシステムであって、
　前記クライアントシステムは、
　ＧＰＳ衛星から現在のナビゲーションデータを直接受信すると共に動作開始のために初期の整数ミリ秒（intMsec）情報を必要とするナビゲーション衛星受信機と、
　前記直接受信したナビゲーションデータパターンの一部を前記サーバシステムに提供する受信ナビゲーションデータ提供部と、
　を備え、
　前記サーバシステムは、
　ＧＰＳ衛星群から直接受信したナビゲーションデータを保持するデータベースと、
　前記クライアントシステムから提供されたナビゲーションデータと、前記データベースに保持されたより完全なナビゲーションデータのデータパターンをパターンマッチングして同期を取るサーバ側パターンマッチング部と、
　を備え、前記サーバシステムは前記クライアントシステムがナビゲーションデータフレーム同期を実現できるように支援することを特徴とするネットワークシステム。」
　
２．引用例　
　これに対して、原査定の拒絶の理由に引用された、本願の優先日前に頒布された刊行物である国際公開第１９９８／３４１６４号（以下、「引用例」という。）には、図面とともに下記の記載がある。
　なお訳文は、当該刊行物に係る国際出願における、日本国を指定国とする出願の公表公報である、特表２００２−５１５１２１号の記載を用いた。
　
Ａ）「SPS receivers such as GPS (Global Positioning System) receivers normally determine their position by computing relative times of arrival of signals transmitted simultaneously from a multiplicity of satellites such as GPS (or NAVSTAR) satellites. These satellites transmit, as part of their satellite data message, both satellite positioning data as well as data on clock timing, so-called ephemeris data. In addition they transmit time-of-week (TOW) information that allows the receiver to determine unambiguously local time. Each received GPS signal (in C/A mode) is constructed from a high rate (1.023 MHz) repetitive pseudorandom (PN) pattern of 1023 symbols, commonly called chips. Further imposed on this pattern is low rate data at a 50 Hz rate. This data is the source of the above mentioned time-of-week information. The process of searching for and acquiring GPS signals, reading the ephemeris data and other data for a multiplicity of satellites and computing the location of the receiver (and accurate time-of day) from this data is time consuming, often requiring several minutes of time. In many cases, this lengthy processing time is unacceptable and, furthermore, greatly limits battery life in micro-miniaturized portable applications.」（第１頁５−２２行）
（訳：ＧＰＳ（全世界測位システム）受信器などのＳＰＳ受信器は、通常は、ＧＰＳ（またはＮＡＶＳＴＡＲ）衛星などの複数の衛星から同時に送信された信号の到着の相対時間を計算することによって位置を判定する。これらの衛星は、衛星データ・メッセージの一部として、衛星位置決めデータならびに、いわゆる「エフェメリス」データであるクロック・タイミングに関するデータの両方を送信する。さらに、これらの衛星は、受信器が曖昧さなしにローカル時刻を決定できるようにするために、週間時刻（ｔｉｍｅ−ｏｆ−ｗｅｅｋ，ＴＯＷ）情報を送信する。受信されたＧＰＳ信号（Ｃ／Ａモード）のそれぞれは、一般に「チップ」と呼ばれる１０２３個の記号の高速に反復される（１．０２３ＭＨｚ）擬似乱数（ＰＮ）パターンから構成される。このパターンには、さらに、５０Ｈｚ速度の低速データが重畳される。このデータは、上で述べた週間時刻情報の供給源である。ＧＰＳ信号を検索し、獲得し、エフェメリス・データおよび他のデータを複数の衛星から読み取り、このデータから受信器の位置（および正確な時刻）を計算する処理は、時間がかかり、数分を要することがしばしばである。多くの場合に、この長い処理時間は、許容できず、さらに、これによって、超小型化されたポータブル応用製品の電池寿命が大幅に制限される。）
　
Ｂ）「The present invention provides methods and apparatuses for measuring time related to satellite data messages which are used with satellite position systems, such as GPS or Glonass. A method in one embodiment comprises the steps of: (1) receiving, at an entity, a first record of at least a portion of a satellite data message; (2) comparing the first record with a second record of the satellite data message, where the first record and the second record overlap at least partially in time; and (3) determining a time from the comparing step, where the time indicates when the first record (e.g., the source of the first record) was received at a remote entity. In one example of this embodiment, the remote entity is a mobile SPS receiver and the entity is a basestation which communicates with the mobile SPS receiver through a wireless (and perhaps also wired) link. A method of the present invention may be performed exclusively at the basestation.
　An embodiment of the present invention for establishing receiver timing is for the receiver to form an estimate of a portion of the satellite data message and transmit this estimate to the basestation. At the basestation this estimate is compared to a record of the satellite data message received from another GPS receiver or source of GPS information. This record is assumed to be error free. This comparison then determines which portion of the basestation's message most closely matches the data transmitted by the remote unit. Since the basestation has read the satellite data message without error it can associate each data bit of that message with an absolute time stamp, as seen by the transmitting satellite. Hence the comparison results in the basestation assigning an appropriate time to the estimated data transmitted by the remote. This time information may be transmitted back to the remote, if desired.」（第２頁８−３１行）
（訳：本発明は、ＧＰＳまたはＧｌｏｎａｓｓなどの衛星測位システムと共に使用される、衛星データ・メッセージに関係する時刻を測定するための方法および装置を提供する。１実施態様の方法には、（１）あるエンティティで、衛星データ・メッセージの少なくとも１部の第１記録を受信するステップと、（２）時間的に少なくとも部分的に第１記録と重なり合う衛星データ・メッセージの第２記録と第１記録を比較するステップと、（３）比較ステップから、第１記録（たとえば第１記録の供給源）がリモート・エンティティで受信された時を示す時刻を判定するステップとを含む方法が含まれる。この実施態様の１例では、リモート・エンティティが移動ＳＰＳ受信器であり、エンティティが、無線リンク（おそらくは有線リンクも）を介して移動ＳＰＳ受信器と通信する基地局である。本発明の方法は、基地局で排他的に実行することができる。
  受信器タイミングを確立するための本発明の実施態様は、受信器が衛星データ・メッセージの一部の推定量を形成し、この推定量を基地局に送信することである。基地局では、この推定量を別のＧＰＳ受信器またはＧＰＳ情報の供給源から受信した衛星データ・メッセージの記録と比較する。この記録は、誤りがないものと仮定する。この比較によって、基地局のメッセージのどの部分が、リモート装置から送信されたデータに最もよく一致するかが判定される。基地局は、誤りなしで衛星データ・メッセージを読み取っているので、そのメッセージの各データ・ビットを、送信元の衛星が見ている絶対タイム・スタンプと関連付けることができる。したがって、この比較の結果、基地局では、リモート側によって送信された推定量データに適切な時刻が割り当てられる。この時刻情報は、所望されるならばリモート側に送り返すことができる。）
　
Ｃ）「Figure 2 shows a generalized method of the present invention which may be utilized with a mobile SPS receiver which is combined with a mobile communication receiver and transmitter, such as that shown in Figure 1A. The mobile GPS receiver 100 shown in Figure 1A samples the satellite data message, such as ephemeris, and creates a record of the message in step 201. Next in this method 200, the remote or mobile GPS receiver transmits this record to a basestation, such as the basestation shown in Figures 5A or 5B in step 203. This record is typically some representation of the message received by the mobile SPS receiver. In step 205, the basestation compares the record transmitted from the mobile SPS receiver to another record which may be considered a reference record of the satellite data message. This reference record has associated time values wherein various segments of the satellite data message have specified reference times associated therewith. In step 207, the basestation determines the time of sampling by the mobile GPS receiver of the satellite data message. This determination is based upon a time value which is associated with the reference record and this determination will indicate the time when the record or the source of the record was received by the mobile GPS receiver.」（第４頁１２−２８行）
（訳：第２図に、第１Ａ図に示されたものなどの移動通信送受信器と組み合わされた移動ＳＰＳ受信器と共に使用することのできる本発明の一般化された方法を示す。第１Ａ図に示された移動ＧＰＳ受信器１００は、ステップ２０１で、エフェメリスなどの衛星データ・メッセージをサンプリングし、メッセージの記録を作成する。次に、この方法２００では、ステップ２０３で、リモートまたは移動式のＧＰＳ受信器が、第５Ａ図または第５Ｂ図に示された基地局などの基地局にこの記録を送信する。この記録は、通常は、移動ＳＰＳ受信器によって受信されたメッセージのなんらかの表現である。ステップ２０５で、基地局が、移動ＳＰＳ受信器から送信された記録を、衛星データ・メッセージの基準記録とみなすことのできる別の記録と比較する。この基準記録は、関連する時刻値を有し、衛星データ・メッセージのさまざまなセグメントが、指定された「基準」時刻を関連付けられている。ステップ２０７で、基地局は、移動ＧＰＳ受信器による衛星データ・メッセージのサンプリングの時刻を判定する。この判定は、基準記録に関連する時刻値に基づき、この判定によって、記録または記録の供給源が移動ＧＰＳ受信器によって受信された時刻が示される。）
　
Ｄ）「Figure 7 illustrates in a simplified way the comparison operation in step 205 of Figure 2. In particular, Figure 7 shows the attempted comparison between the mobile receiver's record and the basestation's reference record shown respectively as records 491 and 495. The horizontal axes for both records indicate time. There is a portion 493 of the mobile's record which represents the portion transmitted to the basestation for purposes of comparison. Typically, the basestation will have a corresponding portion 497 which will overlap at least partially in time with the record received from the mobile receiver. In Figure 7, this overlap is complete in that the reference record provides the satellite data message throughout the entire interval of the mobile receiver's record. However, this is only one example and the overlap may be such that only a portion of the mobile receiver's record overlaps with the reference record from the basestation.」（第４頁２９行−第５頁７行）
（訳：第７図に、第２図のステップ２０５の比較動作を簡略化した形で示す。具体的に言うと、第７図は、移動受信器の記録である記録４９１と基地局の基準記録である記録４９５の間の比較の試みを示す図である。両方の記録の水平軸は、時間を示す。移動受信器の記録には、比較の目的で基地局に送信される部分を表す部分４９３がある。通常、基地局は、時間的に少なくとも部分的に移動受信器から受信した記録と重なり合う対応する部分４９７を有する。第７図では、基準記録が移動受信器の記録の全区間にわたって衛星データ・メッセージを供給するという点で、この重なり合いが完全である。しかし、これは１つの例にすぎず、重なり合いは、移動受信器の記録のごく一部が基地局からの基準記録と重なり合うものである場合がある。）
　
Ｅ）「Figure 3 illustrates in further detail a method 220 of the present invention for measuring time related to satellite data messages for use with a satellite positioning system. The mobile or remote GPS receiver acquires in step 221 GPS signals and determines pseudoranges from those acquired GPS signals. In step 223, the mobile GPS receiver removes the PN data and creates a record of the satellite data message from the acquired GPS signals used to create or determine the pseudoranges. This record is typically some representation of the ephemeris data in the acquired GPS signals and typically represents an estimate of the data. In step 225, the mobile GPS receiver transmits the record and the determined pseudoranges to a basestation, such as the basestation shown in Figures 5A or 5B.
　In step 227, the basestation performs a cross-correlation of the record transmitted from the mobile GPS receiver to a reference record of ephemeris of the satellites. This reference record typically includes an accurate time stamp associated with the data in the reference record (e.g. each bit of data in the reference record has an associated time value or stamp), and it is this time stamp which will be used to determine the time of receipt by the mobile GPS receiver of the originally acquired GPS signals. In step 229, the basestation determines from the cross-correlation operation the time of acquiring by the remote GPS receiver of the acquired GPS signals. The basestation then uses in step 231 the time of the acquiring by the remote GPS receiver of the GPS signals and uses the determined pseudoranges to determine a position information, which may be a latitude and longitude of the remote/mobile GPS receiver. The basestation, in step 233, may communicate this position information of the remote GPS receiver to another entity, such as a computer system coupled through a network, such as the Internet, or an intranet, to the basestation. This will be described further below in conjunction with Figures 5B and 6.」（第５頁８−３３行）
（訳：第３図に、衛星測位システムと共に使用するための、衛星データ・メッセージに関係する時刻を測定するための本発明の方法２２０をさらに詳細に示す。移動式またはリモートのＧＰＳ受信器は、ステップ２２１で、ＧＰＳ信号を獲得し、この獲得されたＧＰＳ信号から擬似距離を判定する。ステップ２２３で、移動ＧＰＳ受信器は、ＰＮデータを除去し、擬似距離の作成または判定に使用された獲得されたＧＰＳ信号から衛星データ・メッセージの記録を作成する。この記録は、通常は、獲得されたＧＰＳ信号に含まれるエフェメリス・データのなんらかの表現であり、通常はデータの推定量を表す。ステップ２２５で、移動ＧＰＳ受信器は、その記録と判定された擬似距離を、第５Ａ図または第５Ｂ図に示された基地局などの基地局に送信する。
  ステップ２２７で、基地局は、移動ＧＰＳ受信器から送信された記録と衛星のエフェメリスの基準記録の相互相関を行う。この基準記録には、通常は、基準記録に含まれるデータに関連する正確なタイム・スタンプが含まれ（たとえば、基準記録のデータの各ビットが、関連する時刻値またはタイム「スタンプ」を有する）、最初に獲得されたＧＰＳ信号が移動ＧＰＳ受信器によって受信された時刻の判定に使用されるのは、このタイム・スタンプである。ステップ２２９で、基地局は、相互相関演算から、獲得されたＧＰＳ信号がリモートＧＰＳ受信器によって獲得された時刻を判定する。その後、基地局は、ステップ２３１で、ＧＰＳ信号のリモートＧＰＳ受信器による獲得の時刻を使用し、判定された擬似距離を使用して、リモート／移動ＧＰＳ受信器の緯度および経度とすることのできる位置情報を判定する。基地局は、ステップ２３３で、インターネットやイントラネットなどのネットワークを介して基地局に結合されたコンピュータ・システムなどの別のエンティティに、このリモートＧＰＳ受信器の位置情報を通信することができる。これについては、第５Ｂ図および第６図に関連して下でさらに説明する。）
　
Ｆ）「The basestation then performs the operations as described according to the present invention using the records to determine the time of receipt of the satellite data messages and using pseudoranges from the remote GPS system 453 and utilizing the satellite ephemeris data from the GPS receiver at the basestation or from other sources of GPS data.」（第１９頁９−１３行）
（訳：基地局は、本発明に従い、この記録を使用し、上で説明した動作を実行して、リモートＧＰＳシステム４５３からの擬似距離と基地局のＧＰＳ受信器または他のＧＰＳデータの供給源からの衛星エフェメリス・データを使用して衛星データ・メッセージ受信の時刻を判定する。）
　
Ｇ）「Tracking the GPS signals without reading the data messages may result in 1 millisecond ambiguities in time, as explained below. Such ambiguities are normally resolved in a conventional GPS receiver by reading the satellite data message, as previously described.」（第１頁３０−３３行）
（訳：データ・メッセージを読み取らないＧＰＳ信号の追跡は、以下で説明するように、時間の１ミリ秒の曖昧さをもたらす場合がある。そのような曖昧さは、通常、従来のＧＰＳ受信器では、前に説明した衛星データ・メッセージを読み取ることによって解決される。）
　
　上記記載Ａ）〜Ｆ）から、下記の技術事項を読み取ることができる。
　
（１）上記記載Ｅ）には、「リモートＧＰＳ受信器」が複数のＧＰＳ衛星からエフェメリスなどの衛星データ・メッセージを含むＧＰＳ信号を受信し擬似距離を作成すること、及び、「基地局」がリモートＧＰＳ受信器の位置情報を判定する点が記載されている。
　一方、上記Ｂ）及びＣ）の記載からみて、基地局とリモートＧＰＳ受信器とが無線あるいは有線リンクを介して通信しており、両者及びＧＰＳ衛星との間でネットワークシステムを形成していると解することができる。
　したがって、記載Ｂ）、Ｃ）、Ｅ）より「基地局とリモートＧＰＳ受信器とを備え、前記リモートＧＰＳ受信器が複数のＧＰＳ衛星からエフェメリスなどの衛星データ・メッセージを受信してＧＰＳ衛星とリモートＧＰＳ受信器間の擬似距離を作成し基地局がリモートＧＰＳ受信器の位置情報を判定するネットワークシステム」との技術事項が読み取れる。
　
（２）上記Ｅ）の記載によれば、リモートＧＰＳ受信器がＧＰＳ信号を獲得し、この獲得されたＧＰＳ信号からＧＰＳ衛星とリモートＧＰＳ受信器間の擬似距離を判定し、基地局が当該擬似距離からＧＰＳ受信機の位置情報を判定しているところ、上記記載Ａ）において「衛星測位システム（ＳＰＳ）から受信した信号を使用して」それ自体の位置を求めるか時刻を判定するとあるから、当該ＧＰＳ信号はＧＰＳ衛星から受信したものであること、受信するためにはリモートＧＰＳ受信器がＧＰＳ信号を受信する何らかの受信部を備えるものであることは、いずれも明らかである。
　したがって、記載Ｅ）より「ＧＰＳ衛星からエフェメリスなどの衛星データ・メッセージを直接サンプリングするＧＰＳ信号を受信する受信部を備えるリモートＧＰＳ受信器」との技術事項が読み取れる。
　
（３）上記Ｂ）の記載において、「あるエンティティで、衛星データ・メッセージの少なくとも１部の第１記録を受信」し、「時刻を判定するステップ」において「第１記録」が「リモート・エンティティで受信された時を示す時刻を判定」していることからみて、上記記載Ｃ）においてリモートのＧＰＳ受信器がサンプリングする「エフェメリスなどの衛星データ・メッセージ」は、その「少なくとも一部」であって当該衛星データ・メッセージの一部から「メッセージの記録」が作成されるものと解される。
　また、上記記載Ｃ）には、リモートＧＰＳ受信器が基地局に、サンプリングしたエフェメリスなどの衛星データ・メッセージから作成されたメッセージの記録を送信する点が記載されているから、引用例に記載のリモートＧＰＳ受信器は、メッセージの記録を送信する何らかの送信部を備えるものであることは明らかである。
　したがって、記載Ｂ）、Ｃ）より「直接サンプリングしたエフェメリスなどの衛星データ・メッセージの一部を基地局に送信するメッセージの記録を送信する送信部を備えるリモートＧＰＳ受信器」との技術事項が読み取れる。
　
（４）上記Ｂ）には、基地局が基準記録となる「別のＧＰＳ受信器またはＧＰＳ情報の供給源から受信したデータ・メッセージ」を、リモートＧＰＳ受信器から送信された衛星データ・メッセージと比較することが記載されているものの、当該記載においては「ＧＰＳ情報の供給源」が具体的に示されていない。
　一方、上記記載Ｆ）において、「基地局の」ＧＰＳ受信器からの衛星エフェメリス・データを使用して時刻の判定を行うことが記載されていることからみて、「ＧＰＳ情報の供給源」として基地局自身が直接ＧＰＳ衛星からの衛星エフェメリス・データの受信したものが含まれると解することができる。
　さらに、引用例記載の基地局は、「ＧＰＳ衛星から直接受信した」衛星データ・メッセージの記録からなる、前記比較を行うための「基準記録」を備えている。
　したがって、記載Ｂ）、Ｆ）より、基地局が「ＧＰＳ衛星から直接受信した衛星データ・メッセージの記録からなる基準記録を備える」との技術事項が読み取れる。
　
（５）上記記載Ｅ）には、基地局が移動ＧＰＳ受信器から送信された「メッセージの記録」と「衛星のエフェメリスの基準記録」の相互相関を行い、ＧＰＳ信号がリモートＧＰＳ受信器によって獲得された時刻を判定しており、また、当該時刻とリモートＧＰＳ受信器により判定された擬似距離を使用して、リモートＧＰＳ受信器の緯度および経度に係る位置情報を判定することが記載されている。
　また、上記記載Ｂ）には、基地局が受信し基準記録となる「衛星データ・メッセージ」が「誤りなし」で読み取ったものであること、また、「基地局のメッセージ」と「リモート装置から送信されたデータ」とを比較し、「基地局のメッセージのどの部分が、リモート装置から送信されたデータに最もよく一致するか」を判定していることが記載されている。　
　そして、基地局は「基地局のメッセージのどの部分が、リモート装置から送信されたデータに最もよく一致するか」を比較判断しているから、そのための何らかの比較判断部を備えるものであることは明らかである。
　したがって、記載Ｂ）、Ｅ）より基地局が「前記リモートＧＰＳ受信器から送信されたメッセージの記録と、誤りなしで読み取られたエフェメリスなどの衛星データ・メッセージの基準記録とを比較してどの部分が最もよく一致するかを判定して相互相関を行う比較判断部とを備える」との技術事項が読み取れる。
　
（６）上記記載Ｂ）には、リモートＧＰＳ受信器から送信されたメッセージの記録に適切な時刻が割り当てられ、基地局が当該割り当てられた時刻情報を「リモート側に送り返す」点が記載されている。
　よって、記載Ｂ）より基地局が「リモートＧＰＳ受信器から送信されたメッセージの記録に割り当てられた時刻情報を当該リモートＧＰＳ受信器に送り返す」との技術事項が読み取れる。
　
　以上の（１）ないし（６）に記載の技術事項を総合勘案すると、引用例には下記の発明が記載されていると認められる。
　
「　基地局とリモートＧＰＳ受信器とを具備し、前記リモートＧＰＳ受信器が複数のＧＰＳ衛星からエフェメリスなどの衛星データ・メッセージを受信してＧＰＳ衛星とリモートＧＰＳ受信器間の擬似距離を作成し基地局がリモートＧＰＳ受信器の位置情報を判定するネットワークシステムであって、
　前記リモートＧＰＳ受信器は、　
　ＧＰＳ衛星からエフェメリスなどの衛星データ・メッセージを直接サンプリングするＧＰＳ信号を受信する受信部と、　
　前記直接サンプリングしたエフェメリスなどの衛星データ・メッセージの一部を基地局に送信するメッセージの記録を送信する送信部と、
　を備え、
　前記基地局は、　
　ＧＰＳ衛星から直接受信した衛星データ・メッセージの記録からなる基準記録と、
　前記リモートＧＰＳ受信器から送信されたメッセージの記録と、誤りなしで読み取られたエフェメリスなどの衛星データ・メッセージの基準記録とを比較してどの部分が最もよく一致するかを判定して相互相関を行う比較判断部と、
　を備え、前記リモートＧＰＳ受信器から送信されたメッセージの記録に割り当てられた時刻情報を当該リモートＧＰＳ受信器に送り返すネットワークシステム。」（以下、「引用発明」という。）
　
３．対比　
　本願発明と引用発明を対比する。
　引用発明の「基地局」は本願発明の「サーバシステム」に、「リモートＧＰＳ受信器」は「クライアントシステム」に、「複数のＧＰＳ衛星から」は「ＧＰＳ衛星群から」に、「エフェメリスなどの衛星データ・メッセージ」は「ナビゲーションデータ」に、「ＧＰＳ衛星とリモートＧＰＳ受信器間の擬似距離を作成し」は「各ＧＰＳ衛星と自クライアントシステム間の擬似距離を算出し」に、「リモートＧＰＳ受信器の位置情報を判定する」は「現在位置を測位する」に、「エフェメリスなどの衛星データ・メッセージを直接サンプリング」は「現在のナビゲーションデータを直接受信」に、「ＧＰＳ信号を受信する受信部」は「ナビゲーション衛星受信器」に、「直接サンプリングしたエフェメリスなどの衛星データ・メッセージの一部」は「直接受信したナビゲーションデータパターンの一部」に、「基地局に送信する」は「サーバシステムに提供する」に、「メッセージの記録を送信する送信部」は「受信ナビゲーションデータ提供部」に、「ＧＰＳ衛星から直接受信した衛星データ・メッセージの記録からなる基準記録」は「ＧＰＳ衛星群から直接受信したナビゲーションデータを保持するデータベース」に、「リモートＧＰＳ受信器から送信されたメッセージの記録」は「クライアントシステムから提供されたナビゲーションデータ」に、「誤りなしで読み取られたエフェメリスなどの衛星データ・メッセージの基準記録」は「より完全なナビゲーションデータ」に、「比較してどの部分が最もよく一致するかを判定して」は「データパターンをパターンマッチングして」に、それぞれ相当する。
　
　また、引用発明においては、「相互相関」によって「誤りなしで読み取られたエフェメリスなどの衛星データ・メッセージの基準記録」と「前記リモートＧＰＳ受信器から送信されたメッセージの記録」と比較し一致している部分の判定を行い「受信器タイミングを確立」しており、当該操作によって両「記録」の位相を一致（同期）させ、「前記リモートＧＰＳ受信器から送信されたメッセージの記録」の正確な受信時刻を得ているから、引用発明の「相互相関を行う」ことは、本願発明の「同期を取」ることに相当するといえる。
　さらに、引用発明の「比較判断部」は、基地局側に備えられ「比較してどの部分が最もよく一致するかを判定」するものであるから、本願発明の「サーバ側パターンマッチング部」に相当するといえる。
　
　したがって、本願発明と引用発明とは、
「　サーバシステムとクライアントシステムとを具備し、前記クライアントシステムがＧＰＳ衛星群からナビゲーションデータを受信して、各ＧＰＳ衛星と自クライアントシステム間の擬似距離を算出して現在位置を測位するネットワークシステムであって、
　前記クライアントシステムは、
　ＧＰＳ衛星から現在のナビゲーションデータを直接受信するナビゲーション衛星受信機と、
　前記直接受信したナビゲーションデータパターンの一部を前記サーバシステムに提供する受信ナビゲーションデータ提供部と、
　を備え、
　前記サーバシステムは、
　ＧＰＳ衛星群から直接受信したナビゲーションデータを保持するデータベースと、
　前記クライアントシステムから提供されたナビゲーションデータと、前記データベースに保持されたより完全なナビゲーションデータのデータパターンをパターンマッチングして同期を取るサーバ側パターンマッチング部と、
　を備えることを特徴とするネットワークシステム。」
である点において一致し、次の各点において一応相違する。
　
（相違点）　
Ａ）クライアントシステムの現在位置の測位を、本願発明では「クライアントシステム」が行うのに対して、引用発明では「基地局」が行う点。
　
Ｂ）クライアントシステムに関し、本願発明では「動作開始のために初期の整数ミリ秒（intMsec）情報を必要」としているのに対して、引用発明では当該情報について明示されていない点。
　
Ｃ）サーバシステムの動作に関し、本願発明では「前記サーバシステムは前記クライアントシステムがナビゲーションデータフレーム同期を実現できるように支援」しているのに対して、引用発明では当該「支援」を行うと明示されていない点。
　
４．判断
　上記相違点について検討する。　
（１）相違点Ａ）について　
　一般に、ＧＰＳ受信器が自ら位置の測位のための演算を行うことは、ＧＰＳ受信器の機能として通常備えられているものである。
　そして、当該測位を行うにあたり何らかの手段により正確なＧＰＳ時刻を得てなすことは、例示するまでもなくＧＰＳ受信器における周知の技術事項である。
　してみると、引用発明において「基地局」が「リモートＧＰＳ受信器の位置情報を判定する」ことに換えて、「リモートＧＰＳ受信器に送り返」された「リモートＧＰＳ受信器から送信されたメッセージの記録に割り当てられた時刻情報」及び「擬似距離」を用いてリモートＧＰＳ受信器が自ら「位置情報を判定する」ようになす、すなわち「現在位置の測位」を行うようにすることは当業者が容易に想到し得ることであるといえる。
　
（２）相違点Ｂ）について
　　上記「２．」の記載Ｇ）からみて、引用発明においても「時間の１ミリ秒の曖昧さ」を解決するためには、「整数ミリ秒」情報が必要となると解することができる。
　さらに、当該「整数ミリ秒」情報は、正確な測位に必要となるデータを備えていない蓋然性のある「動作開始」時に、その時点すなわち「初期」におけるデータを必要とすることも、ＧＰＳ受信器が果たすべき機能を鑑みれば自明である。
　そして、上記（１）のように引用発明において「リモートＧＰＳ受信器」が「現在位置の測位」を行う際には、当該「リモートＧＰＳ受信器」自身が測位演算の主体として「動作開始のために初期の整数ミリ秒（intMsec）情報を必要」とすることも明らかである。
　してみると、引用発明の「リモートＧＰＳ受信器」が「現在位置の測位」を行うことが容易に想到し得ることである以上、これに伴って「リモートＧＰＳ受信器」が自ら測位を行う際に備えるべき「動作開始のために初期の整数ミリ秒（intMsec）情報を必要」とすることも、当業者が容易に想到し得ることであるといえる。
　
（３）相違点Ｃ）について　
　一般にＧＰＳシステムにおける「フレーム同期」は、航法メッセージ自体が「フレーム」から構成されており、航法メッセージに対する同期を取る操作により達成される。
　一方、引用発明においても、「誤りなしで読み取られたエフェメリスなどの衛星データ・メッセージの基準記録」と「前記リモートＧＰＳ受信器から送信されたメッセージの記録」との「相互相関」を行うことで、「ナビゲーションフレーム同期」が実現されていると解される。
　そして、当該「相互相関」は基地局で行われているから、基地局がリモートＧＰＳ受信器の「ナビゲーションフレーム同期」をリモートＧＰＳ受信器の代わりに行っているといえ、このことは基地局がリモートＧＰＳ受信器を「支援」していることにほかならない。　
　よって、上記相違点Ｃ）は実質的な相違点ではない。
　
（４）まとめ
　以上のように、相違点Ａ）及びＢ）に係る構成はいずれも引用発明及び周知の技術事項から、当業者が容易に想到し得たものである。　
　また、上記相違点Ｃ）は実質的な相違点ではない。　
　そして、本願発明の作用効果も、引用発明及び前記周知の技術事項から当業者が予測できる範囲のものである。
　
５．むすび　
　以上のとおり、本願発明は、引用例に記載された発明（引用発明）及び周知の技術事項に基づいて、当業者が容易に発明をすることができたものであるから、特許法第２９条第２項の規定により特許を受けることができない。
　したがって、他の請求項に係る発明について審理するまでもなく、本願は拒絶すべきものである。
　よって、結論のとおり審決する。